(57)【特許請求の範囲】
【請求項１】
車載用通信装置と携帯通信端末とがブルートゥースユニットを介して相互に無線通信が可能な車載用無線通信システムであって、
前記車載用通信装置は、
ユーザが乗車していることを感知するセンサーと、
前記携帯通信端末との通信を行う近距離無線通信手段と、
前記センサーからの信号を解析して前記ユーザが車両から降車したと判定したとき、前記携帯通信端末と車載用通信端末との間で前記近距離無線通信手段を介して通信しているブルートゥースのプロファイルに応じて近距離無線通信接続の継続又は切断を行う制御手段と、を有し
前記制御手段は、前記ブルートゥースのプロファイルがＨＦＰ(Hands-Free Profile)のとき、前記近距離無線通信接続を切断するとともに、前記ブルートゥースのプロファイルがＤＵＮ(Dial-up Networking Profile)のとき、データをダウンロード中か否かを判定し、データをダウンロード中でなければ前記近距離無線通信接続を切断することを特徴とする車載用無線通信システム。
【請求項２】
前記制御手段は、前記ブルートゥースのプロファイルがＤＵＮであって、データをダウンロード中のとき、当該データのダウンロード完了後に、前記近距離無線通信接続を切断することを特徴とする請求項１に記載の車載用無線通信システム。
【請求項３】
前記制御手段は、前記ブルートゥースのプロファイルがＡ２ＤＰ(Advanced Audio Distribution Profile)であって、楽曲を再生中でないとき、前記近距離無線通信接続を切断することを特徴とする請求項２に記載の車載用無線通信システム。
【請求項４】
前記制御手段は、前記ブルートゥースのプロファイルがＡ２ＤＰであって、楽曲を再生中のときは、当該楽曲の再生完了後、前記近距離無線通信接続を切断することを特徴とする請求項３に記載の車載用無線通信システム。
【発明の詳細な説明】
【技術分野】
【０００１】
本発明は、車載用無線通信システムに関し、特に、車載用通信装置と携帯電話機間をブルートゥース接続する車載用無線通信システムに関する。
【背景技術】
【０００２】
近年、携帯電話機と車載用のハンズフリー装置との間で通信を可能とする無線通信システムが利用されてきている。この無線通信システムでは、携帯電話機と車載用ハンズフリー装置の間をブルートゥース（登録商標）で接続する形態が普及している。
【０００３】
ブルートゥースは、近距離無線通信であり、ケーブルを使わずにノートパソコンや携帯電話機などとの接続を可能にし、音声やデータのやり取りをすることができるようになっている。また、ブルートゥースは、免許なしで自由に使うことのできるＩＳＭ（Industrial Science and Medical）帯の周波数帯を用い、半径１０ｍ〜１００ｍ程度の範囲で通信を行うことができる。
【０００４】
ブルートゥース接続が可能な機器を利用することにより、ハンズフリー通話を行ったり、インターネットに接続して様々な情報を取得し、車載装置に格納することが可能となっている。
【０００５】
このようにブルートゥースは、近距離での装置間の無線通信を可能とするものであるため、携帯電話機と車両に備えられた装置との距離によっては、携帯電話機を持ったユーザが車外に移動した場合であっても接続が有効になっている。この場合、ハンズフリー着信した音声は車内に設置されたスピーカーから流れるため、音声を聞くことができないことになる。
【０００６】
これに対し、特許文献１では、ユーザが車両から降車する際に、電話機能を車載通信端末側からユーザの保有する携帯通信端末側に移行させる技術が記載されている。
【先行技術文献】
【特許文献】
【０００７】
【特許文献１】特開２００７−２３５８４１号公報
【発明の概要】
【発明が解決しようとする課題】
【０００８】
上述したように、車載用通信装置と携帯電話機とが無線通信接続されている状態で、ユーザが車両から降車したときには電話機能を携帯電話機に移行することにより、電話がかかってきたときには携帯電話機で応答することが可能になる。
【０００９】
しかし、例えば携帯電話機を介して地図データベースのデータを車載用通信装置にダウンロードしたり、音楽のストリーミング再生を行っている場合に、携帯電話機の使用者が車両から降車したときに携帯電話機側に機能を移行してしまうと、次のような不都合が生じてしまう。すなわち、地図データベースのデータのダウンロードが終了していないときは、途中で携帯電話機側に機能が移行されることにより、必要なデータが欠落してしまう。また、車室内で音楽を聴いている場合に、途中で携帯電話機側に機能が移行されることにより音が途切れ、車室内に残って音楽を聴いている人に不快感を与えかねない。
【００１０】
本発明は、かかる従来技術の課題に鑑みなされたものであり、Bluetooth接続された車載用通信装置と携帯電話機において、携帯電話機の使用者が車両から降車したときであっても、車載用通信装置での不完全なデータ取得を回避可能な車載用無線通信システムを提供することを目的とする。
【課題を解決するための手段】
【００１１】
上記した課題は、車載用通信装置と携帯通信端末とがブルートゥースユニットを介して相互に無線通信が可能な車載用無線通信システムであって、前記車載用通信装置は、ユーザが乗車していることを感知するセンサーと、前記携帯通信端末との通信を行う近距離無線通信手段と、前記センサーからの信号を解析して前記ユーザが車両から降車したと判定したとき、前記携帯通信端末と車載用通信端末との間で前記近距離無線通信手段を介して通信しているブルートゥースのプロファイルに応じて近距離無線通信接続の継続又は切断を行う制御手段と、を有し前記制御手段は、前記ブルートゥースのプロファイルがＨＦＰ(Hands-Free Profile)のとき、前記近距離無線通信接続を切断するとともに、前記ブルートゥースのプロファイルがＤＵＮ(Dial-up Networking Profile)のとき、データをダウンロード中か否かを判定し、データをダウンロード中でなければ前記近距離無線通信接続を切断する車載用無線通信システムシステムにより解決する。
【００１２】
この形態に係る車載用無線通信システムにおいて、前記制御手段は、前記ブルートゥースのプロファイルがＤＵＮであって、データをダウンロード中のとき、当該データのダウンロード完了後に、前記近距離無線通信接続を切断するようにしてもよい。
【００１３】
また、この形態に係る車載用無線通信システムにおいて、前記制御手段は、前記ブルートゥースのプロファイルがＡ２ＤＰ(Advanced Audio Distribution Profile)であって、楽曲を再生中でないとき、前記近距離無線通信接続を切断するようにしてもよく、前記制御手段は、前記ブルートゥースのプロファイルがＡ２ＤＰであって、楽曲を再生中のときは、当該楽曲の再生完了後、前記近距離無線通信接続を切断するようにしてもよい。
【発明の効果】
【００１４】
本発明の車載用無線通信システムによれば、携帯電話機を持ったユーザが車両から降車したか否かを判定し、車両から降車したときに車載機と近距離無線通信により接続されているブルートゥースプロファイルに応じて、近距離無線通信の接続の継続又は切断を行っている。
【００１５】
例えば、ブルートゥースプロファイルがＤＵＮのときにはデータのダウンロード中であればダウンロードが完了するまで近距離無線通信の接続は切断せず、ダウンロードが完了したときに切断するようにしている。
【００１６】
これにより、携帯電話機を持ったユーザが車両から降車したときに近距離無線通信（Bluetooth）接続をいきなり切断することがなくなり、ダウンロード中のデータの欠落を防止することが可能となる。
【図面の簡単な説明】
【００１７】
【図１】本発明の一実施形態に係る無線通信システムの構成を示すブロック図である。
【図２】図１の無線通信システムにおけるBluetoothユニットの構成を示すブロック図である。
【図３】Bluetooth接続の最適切断処理の一例を示すフローチャートである。
【発明を実施するための形態】
【００１８】
以下、本発明の実施形態について、添付の図面を参照して説明する。
【００１９】
図１は、本発明の一実施形態に係る車載用無線通信システム１００のブロック構成図を示している。
【００２０】
本実施形態に係る車載用無線通信システム１００は、車載用通信装置１０と携帯電話機２０とで構成され、車載用通信装置１０と携帯電話機２０との間はBluetooth（ブルートゥース：登録商標）による近距離無線通信方式で相互に通信可能に接続されている。また、携帯電話機２０はインターネット等に接続可能となっている。
【００２１】
車載用通信装置１０は、Bluetoothユニット（ブルートゥースユニット）１１と、電子ボリューム１２と、増幅器１３と、制御部１４と、記憶部１５と、操作部１６と、センサー１７と、マイク１８と、スピーカー１９と、通信部（ＢＴ(Bluetooth)アンテナ）３１で基本構成されている。
【００２２】
ブルートゥースユニット１１は、ブルートゥースによる送受信が可能なユニットであり、外部のブルートゥース機器との間でデータのやりとりを行う。例えば、携帯電話のハンズフリー機能を用いて受話する場合や携帯型オーディオプレーヤーから音楽データを受信する場合等、外部のBluetooth機器からデータを受信する場合、外部のBluetooth機器から送信された音声データや音楽データをＢＴアンテナ３１で受信し、音声データや音楽データに対して所定の信号処理を施すことにより音声信号を生成し、電子ボリューム１２に供給する。
【００２３】
また、例えば、携帯電話のハンズフリー機能を用いて発話する場合等、外部のBluetooth機器に対してデータを送信する場合、マイク１８が音声を取得して音声信号に変換し、変換された音声信号がブルートゥースユニット１１に供給される。ブルートゥースユニット１１は、その音声信号に対して所定の信号処理を施して音声データを生成し、アンテナ３１を介して外部のブルートゥース機器に対して送信される。
【００２４】
電子ボリューム１２は、制御部１４の制御に基づき、ブルートゥースユニット１１から供給された音声信号を増幅して音量を調節する。
【００２５】
増幅器１３は、電子ボリューム１２から供給された音声信号を所定の音量に増幅し、スピーカー１９に供給し、スピーカー１９は、供給された音声信号を外部に出力する。
【００２６】
操作部１６は、各種ボタンからなり、ユーザの指示する操作に応じた操作信号を制御部１４に送信する。
【００２７】
マイク１８は、ユーザの発話を取得してBluetoothユニット１１に信号を伝送する。
【００２８】
センサー１７は、運転席に運転者が乗車しているか否かを検知する。例えば、運転席のシートに加重センサーによるシートセンサーを設けておき、運転者の着座に応じた信号を生成し、制御部１４に送信する。また、運転者の存在を検出するカメラ装置でもよく、人物（運転者）を感知可能に配置した超音波センサーでもよい。
【００２９】
制御部１４は、マイクロコンピュータで構成され、上記各部の機能を制御する。本実施形態では、センサー１７からの信号を受信して、ユーザが車両から降車したか否かを判定し、降車したと判定したとき、車載用通信装置１０と携帯電話機２０とが通信中の近距離無線通信のプロファイルに応じて、その通信の接続を継続するか、又は切断するかを決定する。
【００３０】
一方、携帯電話機２０は、Bluetoothユニット２１と、表示部２２と、制御部２３と、通信部２４と、操作部２５と、マイク２６と、スピーカー２７と、近距離無線通信用のＢＴ（Bluetooth）アンテナ３２と、基地局（不図示）との無線通信用のアンテナ３３で基本構成される。
【００３１】
ブルートゥースユニット２１は、基本的に車載用通信装置１０のブルートゥースユニット１１と同一の構成であり、ＢＴアンテナ３２及びブルートゥースユニット２１を介して車載用機器１０と近距離通信が可能になっている。
【００３２】
通信部２４及びアンテナ３３は、基地局と電話網（不図示）を介してインターネットに接続したり、他の携帯電話機との音声やデータ通信を行う。
【００３３】
操作部２５は各種操作ボタンが設けられ、携帯電話機２０に対する各種機能を指示する。
【００３４】
表示部２２は、例えばＬＣＤで構成され、電子メールの内容を表示したり、画像を表示したりする。
【００３５】
マイク２６は、発話音声を取得して音声信号に変換し、スピーカー２７は、他の携帯電話機から受信した音声を出力する。
【００３６】
制御部２３は、マイクロコンピュータで構成され、上記各部の機能を制御する。
【００３７】
図２は、ブルートゥースユニット１１，２１のブロック構成を示した図である。ブルートゥースユニット１１，２１とは、ブルートゥースのプロトコル階層のＨＣＩ（ホストコントロールインタフェース）より下層のＲＦ（Ｒａｄｉｏ  Ｆｒｅｑｕｅｎｃｙ）層とＢＢ（Ｂａｓｅ  Ｂａｎｄ）層を構成するデバイスである。
【００３８】
各ブルートゥースユニットは、２．４ＧＨｚ帯域用のチップアンテナ等からなるアンテナ４７と、２．４ＧＨｚ帯域で周波数ホッピングするために周波数を上下させるＲＦ回路（Bluetooth RF コントローラ４１）と、周波数ホッピング型のスペクトル拡散通信方式によりパケット無線通信を行うベース・バンド（制御部４３）と、その通信方式のプロトコルを記録したフラッシュメモリやＥＥＰＲＯＭ等のＲＯＭ４２と、を備えている。
【００３９】
ホストコントローラ４４はブルートゥースユニット１１，２１を含む機器の全体を制御する。図１では車載用通信装置１０又は携帯電話機２０の各制御部に対応する。
【００４０】
ホストコントローラ４４はＨＣＩ(Host Controller Interface)ポートを備え、このポートにＵＡＲＴ(Universal Asynchronous Receiver Transmitter)やＵＳＢ(Universal Serial Bus)等のインタフェースを介してブルートゥースユニットと接続される。
【００４１】
ＣＯＤＥＣ４５は、ＰＣＭ信号をＣＯＤＥ／ＤＥＣＯＤＥ変換して、電話音声の入出力を行う。また、ＰＣＭ信号はＤＡＣ４６によりアナログ信号に変換され、ストリーム音楽再生信号を出力する。
【００４２】
次に、ブルートゥースにおけるプロファイルについて説明する。ブルートゥースは、様々な電子機器での通信に使用できるようにしているため、電子機器の機能に応じたプロファイルと呼ばれるプロトコルが策定されている。プロファイルには、電子機器に必ず搭載されているプロファイルと、電子機器の機能に応じて搭載されるプロファイルとがある。電子機器同士で通信を行う場合には、同じプロファイルを有していることが前提となっている。
【００４３】
電子機器に必ず搭載されているプロファイルとしては、例えば、種々の電子機器を接続する際に初めに必要になるプロファイルであり、電子機器を接続する際に必要な電子機器の認識やセキュリティを確立する手順の設定などを行うＧＡＰ(Generic Access Profile：汎用アクセスプロファイル)がある。
【００４４】
電子機器の機能に応じて搭載されるプロファイルとしては、例えば、車内で携帯電話のハンズフリー通話を実現するためのＨＦＰ(Hands-Free Profile：ハンズフリープロファイル)や、音楽をレシーバー付きヘッドフォンや車載機器に伝送するためのＡ２ＤＰ(Advanced Audio Distribution Profile：高度音声配信プロファイル)がある。
【００４５】
図１のように構成された車載用無線通信システム１００において、車載用通信装置１０と携帯電話機２０との間でのブルートゥース接続は、電源投入直後に行われる。一方をマスター、他方をスレーブとし、マスター及びスレーブ間の同期確立フェーズ及び通信接続フェーズを経て接続される。
【００４６】
車載用通信装置１０と携帯電話着２０とがブルートゥース接続されると、車載用通信装置１０の制御部１４が実行するブルートゥースの各プロファイルが示される。所望のプロファイルを選択すると、選択されたプロファイルの情報が記憶部１５に格納される。
【００４７】
例えば、ハンズフリープロファイルを選択すると、携帯電話機２０を手放しで通話することができる。このとき、携帯電話機２０は、アナログ音声信号をＣＯＤＥＣによってデジタルのオーディオパケットに変換し、このオーディオパケットをブルートゥースユニット２１及びアンテナ３２を介して車載用通信装置１０へと送信する。
【００４８】
また、携帯電話機２０は、車載用通信装置１０から送信されたオーディオパケットをアンテナ３２及びブルートゥースユニット２１を介して受信し、通信部２４及びアンテナ３３を介して外部に送信する。
【００４９】
一方、車載用通信装置１０は、携帯電話機２０から送信されたオーディオパケットをアンテナ３１及びブルートゥースユニット１１を介して受信し、このオーディオパケットをＣＯＤＥＣ４５によってアナログの音声信号に変換し、スピーカー１９に供給する。
【００５０】
また、車載用通信装置１０は、接続されたマイク１８を介して入力されたユーザの発話音声のアナログ音声信号をＣＯＤＥＣ５６によってデジタルのオーディオパケットに変換し、このオーディオパケットをブルートゥースユニット１１及びアンテナ３１を介して携帯電話機２０に送信する。
【００５１】
以下に、車載用無線通信システム１００における車載用通信装置１０の制御部１４が行う、近距離無線通信接続の最適切断処理について図３のフローチャートを参照しながら説明する。なお、本処理において、携帯電話機２０と車載用通信装置１０とは近距離無線通信接続されているものとする。
【００５２】
まず、図３のステップＳ１１において、人物感知センサー１７からの信号を取得する。
【００５３】
次のステップＳ１２において、対象ユーザが車外か否かを判定する。例えば、対象ユーザが運転者であり、人物感知センサー１７が運転席に設けられたシートセンサーであったとき、運転者が着座している状態の圧力信号に対して、信号がゼロに近くなったとき、運転者が車両から降車したと判定する。対象ユーザが車外に出たと判定したときはステップＳ１３に移行し、対象ユーザが車室内にいると判定したときは、ステップＳ１１に戻り、判定を継続する。
【００５４】
次のステップＳ１３において、携帯電話機２０との間で確立しているブルートゥースのプロファイル情報を取得する。このプロファイル情報は、ブルートゥース接続をした際に選択され格納された記憶部１５を参照して取得する。
【００５５】
次のステップＳ１４において、ブルートゥースプロファイルがＨＦＰ(Hands-Free Profile)であるか否かを判定する。ブルートゥースプロファイルがＨＦＰのときはステップＳ１５に移行して近距離無線通信接続を切断する。プロファイルがＨＦＰでないときは、ステップＳ１６に移行する。ＨＦＰは車内やヘッドセットでハンズフリー通話を実現するためのプロファイルである。プロファイルがＨＦＰのときはハンズフリーフォンを行っている状態であるため、携帯電話機２０を使用しているユーザが車両から降車したときに近距離無線通信接続を有効にしておくとユーザは車載端末からの音声を聞くことができない。そのため、近距離無線通信接続を切断し、電話機能を携帯電話機２０に移行させている。
【００５６】
次のステップＳ１６において、プロファイルがＤＵＮであるか否かを判定する。プロファイルがＤＵＮでないときは、ステップＳ１９に移行し、プロファイルがＤＵＮ(Dial-up Networking  Profile)のときはステップＳ１７に移行する。ＤＵＮは携帯電話・ＰＨＳを介してインターネットにダイヤルアップ接続するためのプロファイルである。
【００５７】
次のステップＳ１７において、データのダウンロード中であるか否かを判定する。データのダウンロード中でなければステップＳ１５に移行し、近距離無線通信接続を切断する。携帯電話機２０がダイヤルアップ接続していてもデータをダウンロードしていなければ接続を切断してもデータの欠落を引き起こすことがない。データのダウンロード中のときは、ステップＳ１８に移行する。
【００５８】
次のステップＳ１８において、データのダウンロードが完了したか否かを判定する。ダウンロードが完了していなければ待機し、ダウンロードが完了したときはステップＳ１５に移行して、近距離無線通信の接続を切断する。
【００５９】
このように、データのダウンロード中はユーザが車外に出ても近距離無線通信の範囲内であればデータのダウンロードを継続することにより、データの欠落を防止することが可能となる。また、ダウンロード終了後に近距離無線通信を切断し、電話機能を携帯電話機に移行させることにより、携帯電話機２０にかかってきたときにすぐに応答することが可能となる。
【００６０】
ステップＳ１９では、プロファイルがＡ２ＤＰ(Advanced Audio Distribution Profile)であるか否かを判定する。Ａ２ＤＰは、音声をレシーバー付きヘッドフォンに伝送するためのプロファイルである。プロファイルがＡ２ＤＰでないときはステップＳ１５に移行し、近距離無線通信を切断する。プロファイルがＡ２ＤＰのときは、ステップＳ２０に移行する。
【００６１】
次のステップＳ２０において、楽曲を再生中か否かを判定する。楽曲を再生中のときはステップＳ２１に移行し、楽曲を再生中でないときは、ステップＳ１５に移行し、近距離無線通信を切断する。
【００６２】
次のステップＳ２１において、楽曲の再生が完了したか否かを判定する。楽曲の再生が完了するまで待機し、再生が完了したとき、ステップＳ１５に移行し、近距離無線通信を切断する。
【００６３】
以上説明したように、本実施形態の車載用無線通信システムによれば、携帯電話機を持ったユーザが車両から降車したか否かを判定し、車両から降車したときに車載機と近距離無線通信により接続されているブルートゥースプロファイルに応じて、近距離無線通信の接続の継続又は切断を行っている。
【００６４】
例えば、ブルートゥースプロファイルがＤＵＮのときにはデータのダウンロード中であればダウンロードが完了するまで近距離無線通信の接続は切断せず、ダウンロードが完了したときに切断するようにしている。
【００６５】
これにより、携帯電話機を持ったユーザが車両から降車したときに近距離無線通信（Bluetooth）接続をいきなり切断することがなくなり、ダウンロード中のデータの欠落を防止することが可能となる。
【００６６】
なお、本実施形態では、楽曲再生の場合、１曲を再生する場合を対象として説明したが、全曲を再生する場合にも適用可能である。この場合は、１曲の再生が終了した後も続けて次の曲を再生するようにする。
【００６７】
また、１曲再生の場合、車両から降車したユーザが車両に戻ってきたことを検出し、降車時に聴取していた楽曲を再生するか、次の楽曲を再生するかを問い合わせるようにしてもよい。この問い合わせは、表示画面にその旨を表示して選択させるようにしてもよく、音声応答により選択するようにしてもよい。
【符号の説明】
【００６８】
１０…車載用通信装置、
１１、２１…Bluetoothユニット（近距離無線通信手段）、
１２…電子ボリューム、
１３…増幅器、
１４…制御部（制御手段）、
１５…記憶部、
１６、２５…操作部、
１７…センサー、
１８、２６…マイク、
１９、２７…スピーカー、
２０…携帯電話機（携帯通信端末）、
２２…表示部、
２３…制御部、
２４…通信部、
１００…車載用無線通信システム。
【図１】
0005415222.tif 000002
【図２】
0005415222.tif 000003
【図３】
0005415222.tif 000004